(57)【要約】【課題】支持の確実性、利便性を向上し、簡単にボトルだけを着脱できるボトル携行用のホルダーを提供する。【解決手段】ボトルＢの首部Ｎを径方向から挟持して、ネックリングＲの下面に掛止されるグリッパー１と、グリッパー１を吊り下げ支持する吊り具３とを備える。グリッパー１は、首部Ｎを挟持する閉じ姿勢と、首部Ｎから分離する開放姿勢とに揺動変位できるよう支持し、ねじりコイルばねからなるばね５で閉じ勝手に付勢する。グリッパー１の上下に、ばね５の付勢力に抗してグリッパー１を開放操作する摘み６と、ボトルＢの首部Ｎを挟持する掛止爪７とを設ける。吊り具３はばね５のコイル部９に挿通する。各ばね腕１０に連続してグリッパー１の掛止爪７と摘み６とを一体に形成することができる。グリッパー１をプラスチック成形品で構成することもできる。【選択図】図１
2006327595.tif 000002
【特許請求の範囲】
【請求項１】
ボトル（Ｂ）の首部（Ｎ）を径方向から挟持して、ネックリング（Ｒ）の下面に掛止される複数のグリッパー（１）と、グリッパー（１）を吊り下げ支持する吊り具（３）とを備えており、
グリッパー（１）の少なくともひとつは、他のグリッパー（１）と協同して首部（Ｎ）を挟持する閉じ姿勢と、首部（Ｎ）から分離する開放姿勢とに揺動変位できるよう支持されて、ばね（５）で閉じ勝手に付勢されており、
グリッパー（１）の上下に、ばね（５）の付勢力に抗してグリッパー（１）を開放操作する摘み（６）と、ボトル（Ｂ）の首部（Ｎ）を挟持する掛止爪（７）とが設けてあるボトル携行用のホルダー。
【請求項２】
ばね（５）が、コイル部（９）と、コイル部（９）から導出される一対のばね腕（１０）・（１０）とを含むねじりコイルばねで構成されており、
コイル部（９）に吊り具（３）が挿通してある請求項１記載のボトル携行用のホルダー。
【請求項３】
各ばね腕（１０）に連続してグリッパー（１）の掛止爪（７）と摘み（６）とが一体に形成してある請求項２記載のボトル携行用のホルダー。
【請求項４】
ばね（５）は、ばね線材が密にコイル巻きされた左右横長筒状のコイル部（９）と、コイル部（９）の左右両端からそれぞれ前後逆向きに導出されたばね腕（１０）・（１０）とを有しており、
各グリッパー（１）は、各ばね腕（１０）の先端から下向きに延出される支持腕（１１）と、支持腕（１１）の下端からコイル部（９）の軸心と略平行に、左右の支持腕（１１）間にわたって折り曲げ形成される掛止爪（７）と、掛止爪（７）の先端から上向きに延出されてコイル部（９）を跨ぐ摘み腕（１５）と、摘み腕（１５）の先端に形成されて、コイル部（９）の上方に突出する摘み（６）とを有している請求項３記載のボトル携行用のホルダー。
【請求項５】
掛止爪（７）の中間部位に係合凹部（１６）が内凹み状に折り曲げ形成されている請求項４記載のボトル携行用のホルダー。
【請求項６】
一対の各グリッパー（１）・（１）が、キャップ（Ｃ）の周囲を覆うカバー壁（２６）と、軸受部（２９）とを備えたプラスチック成形品で構成されており、
軸受部（２９）にばね（５）のコイル部（９）を外嵌装着し、ばね腕（１０）をカバー壁（２６）にとりつけることにより、一対のグリッパー（１）・（１）が揺動自在に軸支され、かつ、分離不能に連結されている請求項２記載のボトル携行用のホルダー。
【発明の詳細な説明】
【技術分野】
【０００１】
本発明は、ペットボトルなどを吊り下げて支持するボトル携行用のホルダーに関し、なかでも小型ペットボトルの携帯に好適なボトル携行用のホルダーに関する。
【背景技術】
【０００２】
キャップを自由に開閉できて一度に飲み切らずに済む便利さから、ペットボトルが飲料容器に多用されている。とくに５００ｍｌなどの小型ボトルが開発されて以降は、水筒代わりにボトルを携行する生活スタイルが定着し、それに併せて様々なボトル携行用のホルダーが提案されている。
【０００３】
例えばボトル本体を包み込む袋状のホルダーはすでに実用化されているが、そのほかにもボトルの首部を支持する形式のホルダーとして、紐で縛るタイプ（特許文献１）、ゴムリングなどの弾性体に嵌め込むタイプ（特許文献２）、一対の半割リングで挟み付けるタイプ（特許文献３）などが提案されている。スライドさせることで大小に調整できる開口を備える上下一対の板状体でホルダーを構成し、その開口にボトルの首部を挿入して支持するようにしたものもある（特許文献４）。そこでは、ホルダーにコネクタを設けて、ストラップからボトルをワンタッチで着脱できるようにしている。
【０００４】
【特許文献１】特開２０００−６９７３号公報
【特許文献２】特開２０００−２３８７８３号公報
【特許文献３】登録実用新案第３０６６９４８号公報
【特許文献４】特開２００２−３４７７６８号公報
【発明の開示】
【発明が解決しようとする課題】
【０００５】
この種のホルダーでは、支持の確実性、利便性がとくに重要である。多少の衝撃や振動で外れるようでは用をなさないし、キャップ開閉の頻度が多いため、簡単な操作で飲用できなければ不便だからである。この点、先の特許文献１〜４のホルダーは、いずれもボトルの首部に対して側方から支持するタイプであり、とくに内容物が多いと、ホルダーに大きい負荷が掛かってボトルの抜け落ちや、ホルダーの破損が発生し易い。ホルダーからボトルを着脱するにも手間が掛かる。特許文献４のホルダーは、ボトルをストラップからワンタッチで着脱できるが、ホルダー自体はボトルに装着したままであり、ボトルだけを着脱することはできない。
【０００６】
本発明の目的は、支持の確実性と利便性とを備えたボトル携行用のホルダーを提供することにある。本発明の目的は、極めて簡単にボトルだけを着脱でき、耐久性、生産性にも優れたボトル携行用のホルダーを提供することにある。
【課題を解決するための手段】
【０００７】
本発明に係るボトル携行用のホルダーは、図１に示すように、ボトルＢの首部Ｎを径方向から挟持して、ネックリングＲの下面に掛止される複数のグリッパー１と、グリッパー１を吊り下げ支持する吊り具３とを備える。グリッパー１の少なくともひとつは、他のグリッパー１と協同して首部Ｎを挟持する閉じ姿勢と、首部Ｎから分離する開放姿勢とに揺動変位できるよう支持されて、ばね５で閉じ勝手に付勢されており、グリッパー１の上下に、ばね５の付勢力に抗してグリッパー１を開放操作する摘み６と、ボトルＢの首部Ｎを挟持する掛止爪７とが設けてある。
【０００８】
主に本発明が支持対象とするのはペットボトルであるが、首部ＮにネックリングＲのあるボトルＢであれば足り、樹脂の種類は限定しない。なお、ネックリングＲとは、ボトルＢの首部Ｎの全周にわたって外向きに張り出したフランジ状の部分である。ばね５には、板ばねやコイルばね、ゴムばねなどが利用できる。グリッパー１は２つに限らず、３個以上であってもよい。
【０００９】
詳しくは、ばね５をコイル部９と、コイル部９の両端から導出される一対のばね腕１０・１０とを含むねじりコイルばねで構成し、コイル部９に吊り具３を挿通することができる。なお、ばね５の個数、コイル部９の巻き数は限定されない。ばね線材には、例えばピアノ線や硬鋼線、ステンレス鋼線などが使用できる。
【００１０】
例えば図２に示すように、各ばね腕１０に連続してグリッパー１の掛止爪７と摘み６とを一体に形成することができる。
【００１１】
すなわち、ばね５は、ばね線材が密にコイル巻きされた左右横長筒状のコイル部９と、コイル部９の左右両端からそれぞれ前後逆向きに導出されたばね腕１０・１０とを有している。各グリッパー１は、各ばね腕１０の先端から下向きに延出される支持腕１１と、支持腕１１の下端からコイル部９の軸心と略平行に、左右の支持腕１１間にわたって折り曲げ形成される掛止爪７と、掛止爪７の先端から上向きに延出されてコイル部９を跨ぐ摘み腕１５と、摘み腕１５の先端に形成されて、コイル部９の上方に突出する摘み６とを有している。この場合、掛止爪７の中間部位に係合凹部１６を内凹み状に折り曲げ形成するとよい。
【００１２】
また図６に示すように、一対の各グリッパー１・１を、キャップＣの周囲を覆うカバー壁２６と、軸受部２９とを備えたプラスチック成形品で構成することもできる。この場合、軸受部２９にばね５のコイル部９を外嵌装着し、ばね腕１０をカバー壁２６に取りつけることにより、一対のグリッパー１・１を揺動自在に軸支し、かつ、分離不能に連結する。
【発明の効果】
【００１３】
本発明では、ボトルＢを上方からつかんで吊り下げ支持するので、ボトルＢを側方から支持するのに比べて、グリッパー１などに過度な曲げやねじれを生じるおそれがなく、ボトルＢを確実に支持できるし、壊れ難い。
【００１４】
閉じ勝手に付勢したグリッパー１・１で、ボトルＢの首部Ｎを径方向から挟持するようにして、ばね５の付勢力に頼らず確実にボトルＢを支持できるようにした。すなわち、図１（ｂ）のようにボトルＢを吊り下げたときには、ネックリングＲの下面をグリッパー１の掛止爪７が直接に受け止めるため、グリッパー１が壊れない限りボトルＢを確実に支持できる。ボトルＢの径方向、つまりボトルＢの荷重が掛かるボトルＢの軸心に対して垂直に挟持したので、付勢力はボトルＢの荷重の大小によって影響を受けることがない。そのため、ばね５にボトルＢの首部Ｎからグリッパー１が外れない程度の付勢力があれば、グリッパー１が自然に開いてボトルＢが抜け落ちることもない。
【００１５】
ばね５の付勢力に抗してグリッパー１を開放操作する摘み６を設けたので、摘み６を摘むだけのワンアクションでボトルＢだけをホルダーから着脱できる。
【００１６】
ばね５にねじりコイルばねを用いて、そのコイル部９に吊り具３を挿通して吊り下げれば、グリッパー１はボトルＢに一体化した状態でコイル部９まわりに自在に回動できるので、グリッパー１に過度な曲げやねじれの力が作用することがなく、安定してボトルＢが支持できるし、壊れ難い。ばね５に、グリッパー１の付勢手段だけでなく、グリッパー１の支持機能をも兼ねさせることができ、構造が簡素になる。
【００１７】
１つのばね線材を折り曲げ加工することにより、各ばね腕１０に連続してグリッパー１を一体に形成すれば、極めて構造を簡素にでき、原材料コストも小さくできる。耐久性にも、生産性にも優れる。掛止爪７の中間部位に係合凹部１６を内凹み状に折り曲げ形成してあると、ボトルＢの首部Ｎに密着して挟持でき、ボトルＢの支持をよりいっそう確実にできる。
【００１８】
グリッパー１をプラスチック成形品で構成すれば、様々な形状に加工でき、見た目にも楽しい。吊り下げたときにキャップＣの周囲をグリッパー１で覆ってしまえば、繰り返し開閉するボトルＢの口部をキャップＣごと外部から隔離して汚れなくできるので、安全かつ衛生的である。
【発明を実施するための最良の形態】
【００１９】
図１は、本発明に係るボトル携行用のホルダーの概念図であり、グリッパー１が一対の場合を例示したものである。ホルダーは、吊り具３と、グリッパー１と、ばね５と、摘み６とを備え、ボトルＢを上方からつかんで着脱自在に吊り下げ支持する。例えば紐やリングなどの吊り具３で吊り下げてベルトに通したり、ストラップで肩にかけて携帯する。
【００２０】
ボトルＢは、市販されている飲料のペットボトルで、その種類や大きさには制限されない。かかるボトルＢのネックリングＲやキャップＣの寸法精度は高いうえ、ボトルＢの種類や大きさが違ってもほぼ同じ寸法に設計されているからである。具体的には、首部Ｎの外径は約２６mm、ネックリングＲの下端から閉じたキャップＣの上面までの高さは約２３mm、キャップＣ上面の外径は約３０mmである。
【００２１】
各グリッパー１は協同して、図１（ｂ）のボトルＢの首部Ｎを挟持する閉じ姿勢と、図１（ａ）の首部Ｎから分離する開放姿勢とに揺動変位できるように支持する。グリッパー１は、ばね５で閉じ勝手に付勢し、グリッパー１の上側に設けた摘み６でその付勢力に抗して開放操作できるようにする。グリッパー１の下側には、ボトルＢの首部Ｎを挟持する掛止爪７が設けてある。ボトルＢをつかんでいない常態における掛止爪７の対向間隔は、少なくともボトルＢの首部Ｎの外径よりも小さく設定する。ボトルＢを支持するには、図１（ａ）のように、摘み６を摘んで押し広げ、両グリッパー１・１の間にボトルＢの首部Ｎを差し入れて、グリッパー１の掛止爪７がネックリングＲの下側の首部Ｎに臨む状態で摘み６を離せば、ばね５の付勢力でボトルＢを挟持できる。
【実施例１】
【００２２】
図２ないし図５に、本発明に係るボトル携行用のホルダーの実施例を示す。ここでは特に図２に示すごとく、１本のばね線材を折り曲げて各ばね腕１０に連続してグリッパー１の掛止爪７と摘み６とを一体に形成した点に特徴がある。各ばね腕１０・１０、各グリッパー１・１の掛止爪７・７および摘み６・６などは、図２においてコイル部９の軸心を通る垂直面に対して前後対称形となっている。
【００２３】
図２および図３に示すように、ばね５を１つのねじりコイルばねで構成する。ばね５は、ばね線材を隙間なく密にコイル巻きして、キャップＣ上面の外径寸法よりも一回り大きい左右横長筒状のコイル部９と、コイル部９の左右両端の下側位置からそれぞれ前後逆向きに斜め下方に向かって導出される短寸の一対のばね腕１０とからなる。ばね腕１０を前後逆向きに導出したのは、コイル部９を巻き込む方向にばね腕１０を作用させるためである。具体的には、ばね５の線径は1.８mm、コイル部９の外径は、１2.６mm、巻き数は１7.５巻とし、コイル部９の左右長さは約３４mm、ばね腕１０の長さは約１０mmとした。
【００２４】
各グリッパー１は、それぞれ各ばね腕１０に連続して折り曲げ形成されて、ばね腕１０の先端から下向きに延出される支持腕１１と、支持腕１１の下端からばね５のコイル部９の軸心と略平行に、左右の支持腕１１間にわたって折り曲げ形成される掛止爪７と、掛止爪７の先端から、前後外方上向きに延出される摘み腕１５と、摘み腕１５の先端に形成される摘み６とを有し、コイル部９まわりに揺動変位可能になっている。掛止爪７の中間部位には、図２および図５に示すように、係合凹部１６が、ボトルＢの首部Ｎの外周に密着するよう内凹み状に折り曲げ形成されている。図２に示すように、ボトルＢをつかんでいない常態では、対向する掛止爪７は、ばね５の付勢力で互いに圧着している。支持腕１１の長さは約２５mm、掛止爪７の左右長さは約４０mm、係合凹部１６は左右長さが約２８mmの内径が半径１３mmの円弧形状とした。
【００２５】
グリッパー１を開閉する際に摘み腕１５がキャップＣに当たらないようにするために、ここでは図３に示すように、摘み腕１５は、他方の支持腕１１と前後対向状に延出して、コイル部９の下端近くでコイル部９の左右中間部に向けて斜め上方に折り曲げた。摘み腕１５は、コイル部９を跨いでコイル部９の上方に突出しており、その先端部分を外径１５mm程度の環状に折り曲げることで、各摘み６が前後対向状に配置されている。なお、摘み腕１５をコイル部９の下端近くでいったんコイル部９の軸心にそって折り曲げ、摘み腕１５がコイル部９の径方向に沿ってコイル部９を跨ぐよう、コイル部９の左右中間で上方に向けて折り曲げてもよい。
【００２６】
グリッパー１は、図２および図３において、コイル部９を左右に貫通するコイル通孔２０に吊り具３を挿通して、コイル部９まわりに回動自在に吊り下げる。すなわち、ここでは図２に示すように、吊り具３を細長短寸の樹脂チューブ２１と、両端に樹脂チューブ２１を着脱自在に接続できるワンタッチ継手２２とで構成し、簡単に吊り具３だけを取り外せるよう、ワンタッチ継手２２で樹脂チューブ２１をリング状に接続した。
【００２７】
係るボトル携行用のホルダーでボトルＢを支持するには、図４（ａ）に示すように、前後の摘み６・６を接する向きに摘んで開放操作する。そうすると、摘み腕１５が筒状のコイル部９の外周面に接し、その接点を基点に梃子の原理でばね５の付勢力に抗してグリッパー１をコイル部９まわりに開放姿勢に揺動変位させることができる。このとき、摘み腕１５がコイル部９の径方向に沿ってコイル部９を跨いでいると、摘み腕１５がばね線材間の凹みに嵌まって案内支持されるため、開放操作を滑らかにできる。
【００２８】
開放姿勢のグリッパー１・１の間にキャップＣごとボトルＢの口部を差し入れ、掛止爪７がネックリングＲの下側の首部Ｎに臨む状態で摘み６を離して、ボトルＢを挟持する。このとき、ボトルＢの口部を奥まで差し入れれば、コイル部９の周面下側にキャップＣの上面が突き当たって掛止爪７がネックリングＲの下側の首部Ｎに臨むよう位置決めしてあるので、簡単にボトルＢを挟持できるうえ、ボトルＢを挟持したときにはボトルＢの上下動を抑えることができる。具体的にはコイル部９の周面下側と掛止爪７間の寸法を２８mmとした。
【００２９】
図４の（ｂ）に示すように、吊り下げられた閉じ姿勢にある一対のグリッパー１・１は、図５のごとく係合凹部１６がボトルＢの首部Ｎの外周に密着し、かつ、掛止爪７がネックリングＲの下面を受け止める。このとき、支持腕１１は、吊り下げたボトルＢの軸心とほぼ平行になるように設定してある。支持腕１１がボトル軸心と平行であれば、ボトルＢの荷重はコイル部９を介して直接吊り具３にかかって、支持腕１１に曲げやねじりの応力が作用しないからである。なお、ホルダーからボトルＢを外すには、再度摘み６を摘んで開放操作すればよい。
【実施例２】
【００３０】
図６ないし図８は、本発明に係るボトル携行用のホルダーの別実施例である。そこでは、一対の各グリッパー１・１を、図６に示すように閉じ姿勢において前後突き合わせ状に接合する同一形状のプラスチック成形品で構成した。ばね５には実施例１と同じコイル部９を備えたねじりコイルばねを用いたが、左右のばね腕１０・１０を同じように下向きに突出させ、これら先端それぞれを左右外向きに折り曲げて差し込み端２５を形成した点で相違している。
【００３１】
各グリッパー１は、キャップＣの周囲を覆うカバー壁２６と、カバー壁２６の前後対向面の上部片側に突出形成されて、切り欠きを下方に向ける断面Ｃ字状の軸受部２９と、カバー壁２６の前後対向面の下端から内向きに張り出し形成された掛止爪７とを備えている。掛止爪７は、その左右中間部に円弧状に切り欠き形成されて、ボトルＢの首部Ｎに係合する係合凹部１６を有する。カバー壁２６の前後対向面の接合端には、両グリッパー１・１間で互いに嵌合し合う突起３２と凹み３３とが形成されている。各カバー壁２６上部の外面中央には、上向きに摘み６が突出形成されている。各カバー壁２６の、軸受部２９の左右反対側の内側面には、差し込み端２５を挿入するための差し込み孔３５が貫通形成されている。
【００３２】
ばね５と各グリッパー１・１の組み付けは、図６において左右方向から軸受部２９にばね５のコイル部９を外嵌装着し、ばね腕１０の差し込み端２５を各グリッパー１の差し込み孔３５に挿通したのち、図８のようにグリッパー１の外側に突出した差し込み端２５の先端に止め具３６を固定する。したがって、組み付け後の各グリッパー１は、ばね５によってコイル部９まわりに揺動自在に軸支され、かつ、分離不能に連結される。なお、両グリッパー１・１を左右に引っ張っても、コイル部９が軸方向に伸びるため、カバー壁２６からばね腕１０が外れることがない。
【００３３】
常態では、図７および図８に示すように、ばね５の付勢力で閉じ勝手に付勢されて両グリッパー１・１は前後に密着している。突起３２と凹み３３とが嵌合して、両グリッパー１・１が左右にずれ広がるのを防止する。グリッパー１は、実施例１と同様、コイル部９に挿通した吊り具３で吊り下げる。
【００３４】
本実施例では、キャップＣの周囲がカバー壁２６で覆われているため、安全かつ衛生的である。プラスチック成形するグリッパー１は、金型を替えれば簡単にデザイン変更ができるため、興趣に富んだボトル携行用のホルダーを多種多様に提供できる。
【００３５】
吊り具３は金具であってもよい。吊り具３に取っ手をつければ２リットルなどの大型ボトルの運搬具に利用できる。レールなどの支持手段に複数の本発明に係るホルダーを装着し、そこにボトルＢを吊り下げて陳列、保管すれば、非接触状態でボトルＢを支持できるので、陳列棚に比べて衛生面で優れたボトルの陳列保管手段となる。実施例１では、ホルダーにボトルＢの口部を覆うカバー体を装着してもよい。
【図面の簡単な説明】
【００３６】
【図１】本発明にかかるボトル携行用のホルダーの概念を示す概略図
【図２】実施例１のボトル携行用のホルダーの全体斜視図
【図３】実施例１のボトル携行用のホルダーの要部正面図
【図４】実施例１のボトル携行用のホルダーの操作を説明するための説明図
【図５】図３のＡ−Ａ線断面図
【図６】実施例２のボトル携行用のホルダーの分解斜視図
【図７】実施例２のボトル携行用のホルダーの縦断面図
【図８】実施例２のボトル携行用のホルダーの横断面図
【符号の説明】
【００３７】
１  グリッパー
３  吊り具
５  ばね
６  摘み
７  掛止爪
９  コイル部
１０  ばね腕
１１  支持腕
１５  摘み腕
１６  係合凹部
２６  カバー壁
２９  軸受部
Ｂ  ボトル
Ｃ  キャップ
Ｎ  ボトルの首部
Ｒ  ボトルのネックリング
【図１】
2006327595.tif 000003
【図２】
2006327595.tif 000004
【図３】
2006327595.tif 000005
【図４】
2006327595.tif 000006
【図５】
2006327595.tif 000007
【図６】
2006327595.tif 000008
【図７】
2006327595.tif 000009
【図８】
2006327595.tif 000010